(57)【特許請求の範囲】
【請求項１】
遊技球が入賞可能な複数の開口部が設けられたベース部材と、
それぞれの前記開口部の下辺に沿って平行に設けられた開閉用回転軸を中心に回転することで前記開口部を開閉させると共に遊技球を前記開口部へ案内する複数の開閉部材と、
それぞれの前記開口部に対応して設けられ、前記ベース部材に対して直線移動するように取り付けられた複数の第１の部材と、一部が前記開閉用回転軸と平行に配置された連結用回転軸に取り付けられ他の一部が前記第１の部材と連結され、前記第１の部材の直線移動を前記開閉用回転軸の回転移動に変換する複数の第２の部材とを備えた重連開閉機構部と、
複数の前記第１の部材にそれぞれ設けられた連動ピンが、各々独立して収容される案内カム溝が設けられ、互いに交叉する第１の方向及び第２の方向の内、第１の方向に移動することで前記連動ピンを第２の方向に直線移動させる単一の移動部材と、
前記移動部材を前記第１の方向に移動させる駆動源となる駆動手段と、
を有する役物装置。
【請求項２】
前記請求項１に記載の役物装置が搭載された遊技機。
【発明の詳細な説明】
【技術分野】
【０００１】
本発明は、通常は開閉部材によって閉止され、予め定めた条件が成立した場合に開放して遊技球の入賞を可能とする大入賞口を備えた役物装置及びこの役物装置が設けられた遊技機に関する。
【背景技術】
【０００２】
一般的な遊技機、例えばパチンコ機は、通常遊技状態で予め定められた入賞口（特別図柄始動入賞口）に遊技球が入賞することで特別図柄抽選（特図抽選という場合がある）が実行され、この特別図柄抽選の結果が当選の場合、前記通常遊技中は開閉部材によって閉止されている役物装置としての入賞口（「大入賞口」、「アタッカー」等という場合がある）を所定期間開放し、短期間で多くの入賞を期待できる大当たり処理が実行される特別遊技状態に移行する。すなわち、通常遊技状態では、閉塞状態であったアタッカー（大入賞口）を所定回数、所定時間開放することによって、短時間で多くの遊技球の入賞を期待できる特別遊技状態（大役遊技）に移行する遊技仕様がある。
【０００３】
上記基本仕様の遊技機に対して、近年では、出玉率、遊技の趣向性や演出性等の理由から、２個の大入賞口を設けている。２個の大入賞口を適用する理由として、例えば、独立してラウンド数（開放回数）を変更したり、周囲の釘の配置にも依存するが入賞率を変えることができる。また、それぞれの大入賞口に対応して演出テーマ（モード）を変更することができる。さらには、遊技球の打ち出し方向（左打ち、右打ち）を変更するといった遊技者介入の契機とすることができる。
【０００４】
ところが、大入賞口を増加させると、これに伴う部品が増加分だけ増えることになり、部品点数の増加による組み付け工数の増加、並びにそれぞれの大入賞口の駆動系、検出系の制御の負担を助長することになる。
【０００５】
そこで、特許文献１では、２つの大入賞口を隣り合う位置へ併設して、遊技球を共通して検出可能なカウントスイッチを備えることが開示されている。この特許文献１によれば、遊技領域に２つの大入賞口を設けた場合であっても、部品点数や組み付け工数を減らすことができる。
【０００６】
しかしながら、特許文献１では、カウントスイッチは共通であるが、それぞれの大入賞口の開放動作のための駆動系は独立している。すなわち、カウントスイッチは、入賞した遊技球の通路を合流させるだけよいが、駆動系を共通化するには、それぞれの連結動作を切り替えるといった複雑な駆動伝達機構が必要であり、部品点数の削減には至っていない。
【先行技術文献】
【特許文献】
【０００７】
【特許文献１】特開２００６−０３４３６３号公報
【発明の概要】
【発明が解決しようとする課題】
【０００８】
本発明は上記事実を考慮し、特別な駆動伝達機構を設けることなく、複数個設けられた開閉部材を、共通の駆動源によってそれぞれ独立して開閉動作させることができる役物装置及び遊技機を得ることが目的である。
【課題を解決するための手段】
【０００９】
本発明は、遊技球が入賞可能な複数の開口部が設けられたベース部材と、それぞれの前記開口部の下辺に沿って平行に設けられた開閉用回転軸を中心に回転することで前記開口部を開閉させると共に遊技球を前記開口部へ案内する複数の開閉部材と、それぞれの前記開口部に対応して設けられ、前記ベース部材に対して直線移動するように取り付けられた複数の第１の部材と、一部が前記開閉用回転軸と平行に配置された連結用回転軸に取り付けられ他の一部が前記第１の部材と連結され、前記第１の部材の直線移動を前記開閉用回転軸の回転移動に変換する複数の第２の部材とを備えた重連開閉機構部と、複数の前記第１の部材にそれぞれ設けられた連動ピンが、各々独立して収容される案内カム溝が設けられ、互いに交叉する第１の方向及び第２の方向の内、第１の方向に移動することで前記連動ピンを第２の方向に直線移動させる単一の移動部材と、前記移動部材を前記第１の方向に移動させる駆動源となる駆動手段と、を有している。
【００１０】
本発明によれば、ベース部材には、複数の開口部が設けられ、それぞれの開口部には開閉部材が配置されている。開閉部材は、重連開閉機構部によって開閉動作する。重連開閉機構部の第１の部材には、それぞれ連動ピンが設けられており、この連動ピンは、駆動手段により単一の移動部材が第１の方向に直線移動すると、第２の方向に直線移動する。この連動ピンの第２の方向の直線移動が重連開閉機構部によって開閉用回転軸の回転移動に変換され、開閉部材を開閉することができる。
【００１１】
すなわち、単一の移動部材の移動（単一の駆動手段の駆動）により、複数の開閉部材を開閉動作させることができ、それぞれが全て独立した開閉部材の開閉機構に比べて、部品点数を軽減することができる。
【００１２】
本発明において、前記案内カム溝が、前記第１の方向に沿って設けられた、前記連動ピンの外径の所定の寸法公差となる幅寸法の長孔であり、かつその長手方向中間部が前記第２の方向に屈曲されて形成されていることを特徴としている。
【００１３】
本発明によれば、連動ピンを長孔に収容している。長孔の幅寸法は、連動ピンの外径とほぼ同一（所定の寸法公差あり）であり、移動部材が第１の方向に移動すると、連動ピンを長孔の屈曲によって第２の方向に直線移動させることができる。この連動ピンの直線移動が、重連開閉機構部の第１の部材の直線移動に相当し、第２の部材を介して開閉部材を開閉動作させることができる。
【００１４】
本発明において、前記開閉部材の閉止状態のときに位置する前記長孔の一方の端部には、前記屈曲された寸法よりも拡幅された遊嵌孔が設けられ、前記連動ピンが前記長孔に保持されるように付勢手段で付勢されることを特徴としている。
【００１５】
本発明によれば、連動ピンを長孔に収容している。長孔の幅寸法は、連動ピンの外径とほぼ同一（所定の寸法公差あり）であり、移動部材が第１の方向に移動すると、連動ピンを長孔の屈曲によって第２の方向に直線移動させることができる。この連動ピンの直線移動が、重連開閉機構の第１の部材の直線移動に相当し、第２の部材を介して開閉部材を開閉動作させることができる。
【００１６】
ここで、開閉部材の開放状態から閉止状態に移行する際に、外力により閉止状態に移行できない場合がある（球噛み状態等）。そこで、開閉部材の閉止状態のときに位置する前記長孔の一方の端部に、屈曲された寸法よりも拡幅された遊嵌孔（開放状態のときに位置する長孔の一方の端部の延長線上の位置）を設ける。また、連動ピンは長孔に保持するように付勢手段で付勢する。これにより、前記外力が加わった場合、連動ピン（第１の部材）は付勢手段の付勢力に抗して遊嵌孔に移動して負荷を吸収することができる。
【００１７】
本発明において、前記移動部材には前記長孔の長手方向寸法に対応した所定の長さ分の直線状歯部が形成され、前記駆動手段には回転駆動すると共に前記歯部に噛み合う歯車が設けられており、前記駆動手段の駆動力で前記移動部材が移動する場合に、前記歯車が前記直線状歯部の中間位置に噛み合っている状態では全ての前記開閉部材が閉止位置となり、前記歯車が前記直線状歯部の一端部に歯車が噛み合っている状態では一部の開閉部材が開放位置となり、前記歯車が前記直線状歯部の他端部に歯車が噛み合っている状態では他の一部の開閉部材が開放位置となることを特徴としている。
【００１８】
本発明によれば、複数の開閉部材を独立して開閉動作することを想定している。
【００１９】
この場合、駆動手段の歯車が移動部材の直線状歯部の中間位置に噛み合っている状態を全ての前記開閉部材の閉止位置とする。
【００２０】
これにより、歯車が直線状画部の一端部に歯車が噛み合う方向に移動させると一部の開閉部材を開放位置とし、歯車が直線状歯部の他端部に歯車が噛み合う方向に移動させると他の一部の開閉部材を開放位置とすることができる。
【００２１】
なお、直線状歯部の中間位置を全開閉部材の閉止位置に対応させ、両端部を一部又は他の一部の開放位置に対応すると、複数の開閉部材は、基本的に２群に分割されてそれぞれ同一の動作となる。
【００２２】
しかし、それぞれの重連開閉機構部において、開閉ストローク等を変更することで、例えば、長孔の一端部への移動の際、その移動距離に応じて開放する開閉部材の数が増えるようにすれば、２群に限定されるものではない。
【００２３】
本発明は、前記役物装置が搭載された遊技機である。
【００２４】
本発明によれば、上記役物装置を遊技機に用いることで、特別な駆動伝達機構を設けることなく、変化に富んだ遊技性をもたらすことができる。
【発明の効果】
【００２５】
以上説明した如く本発明では、特別な駆動伝達機構を設けることなく、複数個設けられた開閉部材を、共通の駆動源によってそれぞれ独立して開閉動作させることができるという優れた効果を有する。
【図面の簡単な説明】
【００２６】
【図１】本実施の形態に係るパチンコ機の正面図である。
【図２】本実施の形態に係る遊技盤の正面図である。
【図３】本実施の形態に係る大入賞口役物装置の斜視図である。
【図４】図３のＩＶ−ＩＶ線断面図である。
【図５】変形例１に係る大入賞口役物装置の斜視図である。
【図６】変形例１に係る大入賞口役物装置の斜視図（移動板取り外し状態）である。
【図７】変形例２に係る移動板の斜視図である。
【図８】変形例３に係る移動板の斜視図である。
【図９】変形例４に係る大入賞口役物装置の斜視図である。
【図１０】変形例４に係る大入賞口役物装置の裏面側斜視図である。
【発明を実施するための形態】
【００２７】
（パチンコ機の構成）
図１に示されるように、パチンコ機１０の前面下部には、化粧パネルとなる下飾り１２が取り付けられている。
【００２８】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００２９】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００３０】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００３１】
上皿部２８の周縁壁部３２における図１の右端部には、球貸ボタン４２と、返却ボタン４４が設けられている。
【００３２】
また、一体皿２４の右側下部には打球の発射力（飛距離）を調整するためのグリップユニット（発射ハンドル）２６が取り付けられ、左側下部には、灰皿４６が取り付けられている。
【００３３】
一体皿２４における下皿部３０の図１の右側には受け皿スピーカ６０Ｕが配置されている。
【００３４】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３５】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００３６】
この結果、上部演出部５２と下部演出部５４とで、遊技盤１８の周囲を取り囲むように、演出部５６が形成されている。
【００３７】
この演出部５６は、上部演出部５２及び下部演出部５４共に、照明部材（ＬＥＤ等）が取り付けられた基板（図示省略）と、この基板を覆うように、所定の意匠で形成されたレンズカバー５８が取り付けられている。
【００３８】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。また、ガラス枠の上部角部には、それぞれ三連表示６２が設けられ、遊技状態の報知（エラー報知等を含む）に適用される。
【００３９】
また、前記上部演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００４０】
なお、以下では、前述した受け皿スピーカ６０Ｕと、このガラス枠スピーカ６０Ｃ、６０Ｌ、６０Ｒを総称して、「スピーカ６０」という。
【００４１】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。なお、ベニヤ板に代えて透明アクリル板等が用いられる場合もある。これらの外レール１０２及び内レール１０４によって囲まれた円形状の領域は、発射装置（図示省略）から発射されて打ち込まれた遊技球ＰＢが自重落下により移動可能とされ、この領域が遊技を行う遊技領域とされている。
【００４２】
遊技盤１８の遊技領域には、釘（図示省略）及び風車２１が点在して打ち込まれている。また、遊技領域におけるほぼ中央には、センター役物１０５が配置されている。センター役物１０５は、各種演出等の映像を表示する液晶表示部（ＬＣＤ表示部）１０６を備えている。
【００４３】
ＬＣＤ表示部１０６では、例えば、３列の図柄列が独立して変動し、最終的に３列の図柄列が同一図柄で停止した場合に特別図柄抽選の当選を報知するといった、図柄変動パターン演出が実行される。なお、３列の内、先に２列が同一図柄で停止（仮停止）して、残りの１列が変動中の場合を、「リーチ演出」という。
【００４４】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００４５】
ステージ１０５Ｓは、例えば、傾斜面や突起部等が形成され、前記遊技球ＰＢの移動が当該傾斜面や突起部等により不規則に変化し、最終的に下辺手前から遊技盤１８へ戻されるようになっている。
【００４６】
図２に示される如く、センター役物１０５の図２に向かって左側には、普通図柄抽選の始動機能を持つ通過ゲート１１８が配置されている。
【００４７】
また、センター役物１０５の下部には、特別図柄始動入賞口１３４Ａ、１３４Ｂが縦列に配置されている。
【００４８】
特別図柄始動入賞口１３４Ａには、常に遊技球ＰＢが入賞可能となっている。一方、特別図柄始動入賞口１３４Ｂは、その開口部が特別図柄始動入賞口１３４Ａによって遮られると共に、電動チューリップ１３６が取り付けられている。電動チューリップ１３６は、前記普通図柄抽選に当選したときに開放するようになっている。
【００４９】
ここで、電動チューリップ１３６が開放状態になると、特別図柄始動入賞口１３４Ｂの入賞が可能となる。
【００５０】
さらに、図２に示される如く、前記特別図柄始動入賞口１３４Ａ、１３４Ｂの下部には、遊技領域の下端部付近に位置して前記特別図柄抽選の大当たり処理の際に適用される大入賞口役物装置２００が配置されている。
【００５１】
大入賞口役物装置２００は、横方向に２連のアタッカー１１２、１１３が設けられ、それぞれに、その開口部１１２Ａ、１１３Ａには、開閉部材１１６、１１７が設けられている。なお、この大入賞口役物装置２００については後述するが、例えば、前記特別図柄抽選の大当たりの種類として２種類持ち、アタッカー１１２は左打ち用大当たり処理に用いられ、アタッカー１１３は右打ち用大当たり処理に用いられるようになっており、それぞれが独立して開閉動作するようになっている。
【００５２】
図２に示される如く、遊技領域の最下位置には、外れ球を遊技盤１８の裏側へ排出するアウト口１２４が設けられている。
【００５３】
さらに、センター役物１０５の左側には、複数（ここでは、２個）の一般入賞口１２０が設けられている。なお、一般入賞口１２０は、２個に限られるものではなく、例えば、基本的なベースや入賞率等の設計上の演算によってその数を決めればよい。
【００５４】
（大入賞口役物装置２００の構成）
図３乃至図４には、遊技盤１８に適用された大入賞口役物装置２００が示されている。
【００５５】
大入賞口役物装置２００は箱型のベース部材２０２を主体としており、その前面には、遊技盤１８の前面に配置され、ベース部材２０２の縦横寸法よりも大きく、装飾部材を兼ねるフランジ部２０４がベース部材の一部として形成されている。
【００５６】
このベース部材２０２の一部であるフランジ部２０４には、前述したアタッカー１１２、１１３を構成する開口部１１２Ａ、１１３Ａが形成されている。開口部１１２Ａ、１１３Ａの前方には、装飾部材２０６が取り付けられている。装飾部材２０６は、その裏面側に脚部２０６Ａが形成され、フランジ部２０４に対して、遊技球ＰＢが通過できる程度の間隔をもって、フランジ部２０４から突出するように配置されており、開閉部材１１６、１１７はこのフランジ部２０４と装飾部材２０６との間で開閉動作するようになっている。ここで、アタッカー１１２、１１３は、基本的に同一構造であるため、以下において、特に区別する必要がない場合には、アタッカー１１２の構成を説明し、アタッカー１１３の構成の説明は省略する。
【００５７】
図４に示される如く、アタッカー１１２の開閉部材１１６は、その下辺部に回転軸２０８（開閉用回転軸）を備えている。回転軸２０８は、開口部１１２Ａの下辺の近傍でありかつ開口部１１２Ａの下辺と平行に配置されている。この結果、開閉部材１１６は、開放されたとき、その裏面側が内側に向けられ、遊技盤１８を落下してくる遊技球ＰＢを受け止める受け部材としての役目を有している。
【００５８】
開閉部材１１６の裏面側には、回転軸２０８の近傍に略三角形状の肉厚部２１０が形成され、当該肉厚部２１０には、凹部２１２が形成されている。
【００５９】
また、前記ベース部材２０２の内方であり、開閉部材１１６の奥側は、受け入れた遊技球ＰＢの流路（図示省略）が設けられると共に、流路を回避するように重連開閉機構部２１４が設けられている。
【００６０】
重連開閉機構部２１４は、開閉部材１１６の幅方向（遊技盤横方向）の一端部に対峙するように、第１の部材としてのスライドプレート２１６が設けられている。スライドプレート２１６は、矩形ブロック形状であり、図示しないガイド部によって、図４の左右方向（遊技盤１８の奥行き方向）に直線移動可能に取り付けられている。
【００６１】
スライドプレート２１６の前側（開閉部材１１６と対面する側）には、前記開閉部材１１６の回転軸２０８と平行とされた動作ピン２１８が形成されている。
【００６２】
動作ピン２１８は、重連開閉機構部２１４の第２の部材として回転プレート２２０に設けられた連結孔２２２に収容されている。
【００６３】
回転プレート２２０は、スライドプレート２１６と前記開閉部材１１６の肉厚部２１０との間に掛け渡されるように配置されている。
【００６４】
前記連結孔２２２は、回転プレート２２０の後側（開閉部材と対面しない側）に設けられ、前記動作ピン２１８の外径よりも若干大きく形成されており、動作ピン２１８は、連結孔２２２に収容されている状態で、若干のがたつき（あそび）を持っている。
【００６５】
前記回転プレート２２０には、前記連結孔２２２の下部に円孔２２４が形成されている。円孔２２４は、ベース部材２０２から前記動作ピン２１８と平行に突出された回転軸２２６（連結用回転軸）が収容されている。回転軸２２６は、円孔２２４に対して所定の寸法公差で緊密に支持されており、回転プレート２２０を回転可能に支持している。
【００６６】
ここで、前記スライドプレート２１６が直線移動（以下に示す第２の方向移動）すると、動作ピン２１８が同一方向に直線移動する。この直線移動は、動作ピン２１８を介して回転軸２２４を中心に回転プレート２２０を回転させる。
【００６７】
また、回転プレート２２０の前側（開閉部材と対面する側）には、二股の脚部２２８Ａ、２２８Ｂが形成されている。一方の脚部２２８Ａは、先端が略Ｌ字型に屈曲され、前記開閉部材１１６に形成された肉厚部２１０の凹部２１２に収容されている。
【００６８】
図４は、スライドプレート２１６が直線移動方向の前側（図４の右端）に位置している状態が示されており、この状態では、凹部２１２に収容されている回転プレート２２０の一方の脚部２２８Ａが開閉部材１１６を閉止する方向に回転する力が働くようになっている。
【００６９】
また、スライドプレート２１６が直線移動方向の後側（図４の左端）に位置するように移動すると、前記一方の脚部２２８Ａが凹部２１２から抜け出ると同時に、他方の脚部２２８Ｂが肉厚部２１０に当接し、かつ押し上げて、開閉部材１１６を開放する方向に回転する力が働くようになっている。
【００７０】
以上のように、スライドプレート２１６の直線移動（第２の方向移動）が、回転プレート２２０によって回転移動に変換され、回転プレート２２０の回転動作を一対の脚部２２８Ａ、２２８Ｂと肉厚部２１０とによって開閉部材１１６へ伝達し、開閉動作を行う構造となっている。
【００７１】
図３に示される如く、スライドプレート２１６の上端面には、連動ピン２３０が突出されている。
【００７２】
ベース部材２０２には、２個のアタッカー１１２、１１３が設けられているため、ベース部材２０２の上部には、それぞれのスライドプレート２１６から突出した連動ピン２３０が突出されていることになる。
【００７３】
図３に示される如く、ベース部材２０２の上面部には、移動部材として移動板２３２が配設されている。移動板２３２は薄肉板状で一方の長辺側に直線状の歯部２３４が形成されている。この歯部２３４に対抗して、モータ２３６（図４参照）の回転軸に取り付けられた歯車２３８が噛み合っている。また、移動板２３２には、長手方向両端部近傍に、ラックガイド長孔２４０が設けられており、ベース部材２０２から突出するガイドピン２４２が収容されている。この結果、移動板２３２は、ガイドピン２４２に案内されると共に、モータ２３６が駆動すると歯車２３８が回転して、その回転方向に応じて、ベース部材２０２の左右方向に直線移動するようになっている。なお、以下において、移動板２３２の移動方向を「第１の方向」とする。
【００７４】
この移動板２３２の第１の方向に対して、前記連動ピン２３０は、スライドプレート２１６の直線移動に依存するため、当該第１の方向とは交叉（直交）する。以下、このスライドプレート（連動ピン２３０）の移動方向を「第２の方向」とする。
【００７５】
移動板２３２には、前記ラックガイド長孔２４０に加え、複数の前記連動ピン２３０をそれぞれ収容する複数の連動ピンガイド長孔２４４が形成されている。
【００７６】
この連動ピンガイド長孔２４４における連動ピン２３０の位置（すなわち、図４の右端に移動している状態）は、前記開閉部材１１６が閉止されている状態で、連動ピンガイド長孔２４４の長手方向中間位置とされている。また、このとき、歯車２３８が噛み合っている歯部２３４の位置は、歯部２３４の全長のほぼ中間位置とされている。この状態が、移動板２３２の基準位置である。
【００７７】
ここで、前記連動ピンガイド長孔２４４は、前記長手方向中間位置で屈曲され、それぞれ外側の半分が前記移動板２３２の第１の方向に対して開閉部材１１６、１１７から離れる方向に傾斜している。この連動ピンガイド長孔２４４の屈曲と、前記移動板２３２の基準位置からの第１の方向の移動とによって、連動ピンガイド長孔２４４に収容されているが、第２の方向に移動する連動ピン２３０と、第２の方向に移動しない連動ピン２３０とが存在する。
【００７８】
すなわち、移動板２３２が基準位置から、第１の方向における図３の右方向に直線移動した場合の動作を以下のとおりである。
【００７９】
図３の左側の連動ピン２３０は、前記傾斜された連動ピンガイド長孔２４４に案内されるため、スライドプレート２１６が第２の方向に移動するが、図３の右側の連動ピン２３０は、傾斜されていない連動ピンガイド長孔２４４に案内されるため、スライドプレート２１６は第２の方向に移動しない。
【００８０】
一方、移動板２３２が基準位置から、第１の方向における図３の左方向に直線移動した場合の動作を以下のとおりである。
【００８１】
図３の右側の連動ピン２３０は、傾斜された連動ピンガイド長孔２４４に案内されるため、スライドプレート２１６が第２の方向に移動するが、図３の左側の連動ピン２３０は、傾斜されていない連動ピンガイド長孔２４４に案内されるため、スライドプレート２１６は第２の方向に移動しない。
【００８２】
このように、単一のモータ２３６の駆動力により、歯車２３８の回転方向を変えることによって、単一の移動板２３２の第１の方向直線移動によって、アタッカー１１２、１１３の開閉部材１１６、１１７を選択的に開閉動作させることができる。
【００８３】
以下に本実施の形態の作用を説明する。
【００８４】
パチンコ機１０による遊技では、遊技者がグリップユニット２６を操作すると、一球ずつ発射装置によって上方へ発射される。発射された遊技球ＰＢは、外レール１０２に沿って遊技盤１８の遊技領域に打ち込まれ、遊技釘や風車に当たり方向を変えながら遊技領域内を落下する。そして、入賞せずに遊技領域の下端部に至った遊技球ＰＢはアウト口１２４からパチンコ機１０内に回収される。
【００８５】
通過ゲート１１８を通過すると、電動チューリップ１３６を開放するか否かを決定する普通図柄抽選が実行されると共に、その普通図柄抽選の結果を報知する。
【００８６】
また、遊技球ＰＢが遊技領域内に設けた特別図柄始動入賞口１３４Ａに入賞したり、電動チューリップ１３６の開放を条件として特別図柄始動入賞口１３４Ｂに入賞すると大役処理を実行するか否かの特別図柄抽選が実行されると共に、ＬＣＤ表示部１０６への画像表示演出、スピーカ６０を用いた音演出等を絡めて、特別図柄抽選の結果を報知する。
【００８７】
さらに、一般入賞口１２０に入賞すると、予め定めた賞球（払い出し）が実行される。
【００８８】
前記特図抽選に当選すると、大役処理として、アタッカー１１２又は１１３の開閉部材１１６，１１７を開閉制御して、所定時間（例えば３０秒）の開放とその後の所定時間（例えば２〜３秒）の閉止を１ラウンドとして、複数ラウンドの開閉動作を行う。これにより、大役処理では、遊技者は、アタッカー１１２又は１１３の開放によって多くの入賞が期待でき、遊技者にとって通常遊技よりも有利な状態とすることができる。
【００８９】
ここで、遊技仕様によって複数種類の大役処理を行う場合がある。例えば、大役処理に優劣を付け、一方の大役処理は、アタッカー１１２を適用して、左打ち（ＬＣＤ表示部１０６よりも左側を落下させるように遊技球を発射すること）を指示し、比較的ラウンド数の少ない大役処理とする。また、他方の大役処理は、アタッカー１１３を適用して、右打ち（ＬＣＤ表示部１０６よりも右側を落下させるように遊技球を発射すること）を指示し、比較的ラウンド数の多い大役処理とする。
【００９０】
このように、同じ特別図柄抽選の当選であっても、その当選の種類として２種類の大役処理を準備しておくことで、遊技性を向上することができる。
【００９１】
ところが、上記のように２個のアタッカー１１２、１１３を独立して開閉動作する場合、それぞれ独立した駆動源と開閉のためのリンク機構が必要であり、部品点数の増加、組み付け工数の増加を招くと共に、制御系にも負担をかけていた。
【００９２】
そこで、本実施の形態では、単一の駆動源を用い、かつ開閉動作を伝達する機構としての部材の一部を共通化した。
【００９３】
以下のその動作について説明する。
【００９４】
まず、アタッカー１１２，１１３は、それぞれ独立して重連開閉機構部２１４を備えており、それぞれの動作は共通であるため、以下では、アタッカー１１２の動作について説明し、アタッカー１１３の動作については省略する。
【００９５】
図４の実線に示される如く、スライドプレート２１６が右端に位置しているとき、回転プレート２２０は、回転軸２２６を中心に図４の時計方向周りに回転している。このため、回転プレート２２０の先端の二股の脚部２２８Ａ、２２８Ｂの内、一方の脚部２２８Ａが、開閉部材１１６の裏面側に設けられた肉厚部２１０の凹部２１２に収容され、開閉部材１１６を閉止する方向に回転する力が働いている。従って、開閉部材１１６は閉止状態が保持される。
【００９６】
ここで、スライドプレート２１６が左端へ直線移動すると、回転プレート２２０は、回転軸２２６を中心に図４の反時計回りに回転する。この回転に伴い、前記一方の脚部２２８Ａは凹部２１２から離脱し、代わりに、他方の脚部２２８Ｂが肉厚部２１０の下端面に当接し、当該肉厚部２１０を押し上げる力が働く。このため、開閉部材１１６が回転軸２０８を中心に開放する方向に回転する。これにより、開閉部材１１６は開放される。（図４の想像線参照）。
【００９７】
アタッカー１１２、１１３では、必要に応じて上記開閉動作を実行することになるが、本実施の形態では、このアタッカー１１２、１１３の独立した開閉動作を単一のモータ２３６の正転、逆転及び単一の移動板２３２の直線移動により実現した。
【００９８】
すなわち、モータ２３６の回転軸に取り付けられた歯車２３８は、移動板２３２に形成された直線状の歯部２３４の長手方向中間位置に噛み合っており、この状態が基準位置となる。基準位置では、スライドプレート２１６の連動ピン２３０が、連動ピンガイド長孔２４４の中間位置にあり、この位置はスライドプレート２１６が図４の右端位置であるため、アタッカー１１２、１１３共に開閉部材１１６，１１７が閉止状態となっている。
【００９９】
まず、アタッカー１１２を開閉するときは、モータ２３６の駆動により、歯車２３８を図３の反時計回りに回転させる。すなわち、この歯車２３８の回転によって、移動板２３２は図３右方向に直線移動（第１の方向移動）する。
【０１００】
移動板２３２が第１の方向において右に移動すると、アタッカー１１２側のスライドプレート２１６に取り付けられた連動ピン２３０が、傾斜された連動ピンガイド長孔２４４に案内されるため、スライドプレート２１６が第２の方向に移動する。このときの第２の方向はスライドプレート２１６の図４の左方向となるため、前述のようにアタッカー１１２の開閉部材１１６が開放する。
【０１０１】
次に、所定時間（例えば、３０秒等）が経過すると、歯車２３８を図３の時計方向回りに回転させる。すなわち、この歯車２３８の回転によって、移動板２３２は図３の左方向に直線移動（第１の方向移動）する。移動板２３２が第１の方向において左に移動すると、アタッカー１１２側のスライドプレート２１６に取り付けられた連動ピン２３０が、傾斜された連動ピンガイド長孔２４４に案内されるため、スライドプレート２１６が第２の方向に移動する。このときの第２の方向はスライドプレート２１６の図４の右方向となるため、前述のようにアタッカー１１２の開閉部材１１６が閉止する。
【０１０２】
上記アタッカー１１２の開閉動作中、アタッカー１１３に対応する連動ピン２３０と、連動ピンガイド長孔２４４とは、相反する方向に直線的に相対移動するのみであるため、スライドプレート２１６の動作に一切関与せず、開閉部材１１７の閉止状態が保持される。
【０１０３】
次に、アタッカー１１３を開閉するときは、モータ２３６の駆動により、歯車２３８を図３の時計回りに回転させる。すなわち、この歯車２３８の回転によって、移動板２３２は基準位置から図３の左方向に直線移動（第１の方向移動）する。
【０１０４】
移動板２３２が第１の方向において左に移動すると、アタッカー１１３側のスライドプレート２１６に取り付けられた連動ピン２３０が、傾斜された連動ピンガイド長孔２４４に案内されるため、スライドプレート２１６が第２の方向に移動する。このときの第２の方向はスライドプレート２１６の図４の左方向となるため、前述のようにアタッカー１１３の開閉部材１１７が開放する。
【０１０５】
次に、所定時間（例えば、３０秒等）が経過すると、歯車２３８を図３の反時計方向回りに回転させる。すなわち、この歯車２３８の回転によって、移動板２３２は図３の右方向に直線移動（第１の方向移動）する。移動板２３２が第１の方向において右に移動すると、アタッカー１１３側のスライドプレート２１６に取り付けられた連動ピン２３０が、傾斜された連動ピンガイド長孔２４４に案内されるため、スライドプレート２１６が第２の方向に移動する。このときの第２の方向はスライドプレート２１６の図４の右方向となるため、前述のようにアタッカー１１３の開閉部材１１７が閉止する。
【０１０６】
上記アタッカー１１２の開閉動作中、アタッカー１１２に対応する連動ピン２３０と、連動ピンガイド長孔２４４とは、相反する方向に直線的に相対移動するのみであるため、スライドプレート２１６の動作に一切関与せず、開閉部材１１７の閉止状態が保持される。
【０１０７】
以上説明したように本実施の形態では、移動板２３２の歯部２３４の中間位置にモータ２３６の回転軸に取り付けられた歯車２３８を噛み合わせておき、これを基準位置することで、２個のアタッカー１１２，１１３の双方を閉止状態で保持できる。また、モータ２３６の初期回転方向並びにその復帰のための逆回転によって、アタッカー１１２とアタッカー１１３との開閉動作を独立して行うことができるため、部品点数の共通化が図れ、組み付け工数を軽減することができる。また、単一のモータ２３６の回転方向の制御のみで、２個のアタッカー１１２，１１３の開閉動作を制御することができるため、制御系の負担も軽減することができる。
【０１０８】
なお、本実施の形態では、２個のアタッカー１１２、１１３を対象したが、連動ピンガイド長孔２４４の長さを長くとり、移動板２３２の第１の方向の移動ストロークによって、開閉動作するアタッカーを選択するようにしてもよい。
【０１０９】
例えば、連動ピンガイド長孔２４４の相対的に短いストロークの範囲でアタッカー１１２を開閉動作させ、そのストロークよりも長いストロークの範囲で別のアタッカーの開閉動作させるようにする。課題としては、ストロークが長い側のアタッカーを対象とする場合に、基準位置からの往復移動の２回だけ、短い側のアタッカー１１２のストロークの範囲を通過するため、アタッカー１１２が瞬間的に開放することであるが、移動を早くすれば、遊技球が入賞するといった不具合は解消可能である。
【０１１０】
（変形例）
以下に本実施の形態の変形例を示す。なお、本実施の形態と同一構成部分については同一の符号を付して、その構成の説明を省略する。
【０１１１】
「変形例１」
図５及び図６は、本実施の形態の変形例１に係る大入賞口役物装置２００Ａである。本実施の形態と異なる点は、移動板２３２Ａに設けた連動ピンガイド長孔２４４の形状である。
【０１１２】
前記実施の形態では、連動ピンガイド長孔２４４の幅寸法は均一であり、一部が屈曲した形状となっている。これに対して、変形例１では、閉止状態に対応する領域の幅寸法を拡大（以下、「拡幅部２４４Ａ」という場合がある）した点にある。この連動ピンガイド長孔２４４の一部の拡幅により、連動ピン２３０の第２の方向の直線移動の制限がないため、閉止状態の開閉部材１１６，１１７は外力で開放することが可能となる。
【０１１３】
一方、図６に示される如く、スライドプレート２１６とベース部材２０２との間に、圧縮コイルばね２５０を介在させ、当該圧縮コイルばね２５０の付勢力で、前記拡幅されている位置に連動ピン２３０を拡幅されていないときの位置（すなわち、開閉部材１１６，１１７の閉止位置）に保持するようにした。
【０１１４】
これにより、遊技の進行中、球噛みがあったときの修復の際、店員等が開閉部材１１６，１１７を外力の一つである手操作で開放しようとしたとき、圧縮コイルばね２５０の付勢力に抗して、スライドプレート２１６が自由に直線移動するため、大入賞口役物装置２００の部品を破壊することなく、球噛み修復作業が可能となる。
「変形例２」
図７は、本実施の形態の変形例２に係る移動板２３２Ｂである。この変形例２で適用される移動板２３２Ｂは、長手方向中間部において、肉厚方向の段差が形成されている。すなわち、本実施の形態では、図２に示される如く、２個のアタッカー１１２，１１３が、遊技盤１８において、高さ方向の同一の位置にあるため、移動板２３２を板状とした。しかし、アタッカー１１２、１１３の高さ方向が異なる場合、それぞれのスライド位置の高さも変化するため、その分移動板２３２Ｂに段差を設けた。これにより、変形例２の移動板２３２Ｂは、遊技盤１８上において、高さ位置の異なる複数のアタッカーにも共通の部材として適用することができる。
「変形例３」
なお、段差が大きい場合は、図８に示される如く、縦壁部材２５２を介在させ、クランク状の移動板２３２Ｃを形成するようにしてもよい。
「変形例４」
図９及び図１０は、本実施の形態の変形例４に係る大入賞口役物装置２００Ｂである。この変形例４は、２個のアタッカー１１２，１１３が上下方向に積み重ねられた構造に対応するものである。すなわち、本実施の形態、並びに変形例１、変形例２では、ベース部材２０２の上面に移動板２３２、２３２Ａ〜２３２Ｃを設ける領域が存在したが、縦方向にアタッカー１１２、１１３が配置されていると、移動板２３２、２３２Ａ〜２３２Ｃを設ける領域がない。
【０１１５】
そこで、図１０に示される如く、ベース部材２０２の側面に移動板２３２Ｄを設けた。なお、変形例４での移動板２３２Ｄは、前記変形例２に示した拡幅部を設け、球噛み修復作業を考慮する構成としたが、これに限定されるものではない。ベース部材２０２の側面に移動板２３２Ｄを設けるため、第２の方向に移動するスライドプレート２１６の連動ピン２３０を本実施の形態（図４参照）に対して９０度傾斜させて取り付けた。また、移動板２３２Ｄの直線状の歯部２３４が上下方向となるため、モータ２３６の回転軸に取り付けられた歯車２３８の軸線を水平とした。
【符号の説明】
【０１１６】
１０    パチンコ機（遊技機）
１８    遊技盤
５０    操作ボタン
６０（６０Ｌ、６０Ｃ、６０Ｒ、６０Ｕ）    スピーカ
１０５    センター役物
１０６    ＬＣＤ表示部（表示部）
２００    大入賞口役物装置
２０２    ベース部材
２０４    フランジ部
１１２、１１３    アタッカー
１１２Ａ、１１３Ａ    開口部
１１６，１１７    開閉部材
２０６    装飾部材
２０８    回転軸（開閉用回転軸）
２１０    肉厚部
２１２    凹部
２１４    重連開閉機構部
２１６    スライドプレート（第１の部材）
２１８    動作ピン
２２０    回転プレート（第２の部材）
２２２    連結孔
２２４    円孔
２２６    回転軸（連結用回転軸）
２２８Ａ、２２８Ｂ    脚部
２３０    連動ピン
２３２    移動板（移動部材）
２３４    歯部
２３６    モータ
２３８    歯車
２４０    ラックガイド長孔
２４２    ガイドピン
２４４    連動ピンガイド長孔
【図１】
0005930752.tif 000002
【図２】
0005930752.tif 000003
【図３】
0005930752.tif 000004
【図４】
0005930752.tif 000005
【図５】
0005930752.tif 000006
【図６】
0005930752.tif 000007
【図７】
0005930752.tif 000008
【図８】
0005930752.tif 000009
【図９】
0005930752.tif 000010
【図１０】
0005930752.tif 000011